(57)【要約】      （修正有）【課題】楽器を設置した際に、その楽器の響板に対し適切な圧力で加振器を接触させることが可能な楽器用支持体を提供する。【解決手段】響板を有する楽器１１を支持する支持部１２と、駆動信号に応じて振動する加振器１３と、支持部１２に楽器１１が支持されたとき、響板に加振器１３を予め決められた圧力で接触させる加圧機構１４と、を備えている。加圧機構１４は、連結部材１６と、連結部材１６を回動可能に保持する支軸１７と、錘１５と、を含み、連結部材１６の一端に加振器１３が連結され、連結部材１６の他端に錘１５が連結されていてもよい。【選択図】図１
2016180928.tif 000002
【特許請求の範囲】
【請求項１】
響板を有する楽器を支持する支持部と、
駆動信号に応じて振動する加振器と、
前記支持部に前記楽器が支持されたとき、前記響板に前記加振器を予め決められた圧力で接触させる加圧機構と、
を備える、楽器用支持体。
【請求項２】
前記加圧機構は、連結部材と、前記連結部材を回動可能に保持する支軸と、錘と、を含み、
前記連結部材の一端に前記加振器が連結され、前記連結部材の他端に前記錘が連結されている、請求項１に記載の楽器用支持体。
【請求項３】
前記連結部材は、屈曲部を有し、
前記支軸は、前記屈曲部において前記連結部材を回動可能に保持する、請求項２に記載の楽器用支持体。
【請求項４】
前記支持部に前記楽器が支持されたときの前記錘の重力方向における位置が、前記支持部に前記楽器が支持されていないときの前記錘の重力方向における位置よりも高くなる、請求項２または３に記載の楽器用支持体。
【請求項５】
前記支持部に前記楽器が支持されていないとき、前記錘の底部が前記支持部の一部に接している、請求項２乃至４のいずれか一項に記載の楽器用支持体。
【請求項６】
前記加圧機構は、バネを含み、
前記バネの一端に前記加振器が連結され、前記バネの他端が固定されている、請求項１に記載の楽器用支持体。
【請求項７】
前記加圧機構は、屈曲部を有する連結部材と、ストローク量に依らず一定の力を示すバネと、を含み、
前記連結部材の一端に前記加振器が連結され、前記連結部材の他端に前記バネの一端が連結されている、請求項１に記載の楽器用支持体。
【発明の詳細な説明】
【技術分野】
【０００１】
本発明は、響板を有する楽器を設置するための支持体（スタンド）に関する。
【背景技術】
【０００２】
従来、弦の振動を響板に伝えて発音する弦楽器に関し、響板である裏板に加振器（「電気−機械振動変換器」ともいう。）を取付けて共鳴胴の振動を制御する技術が知られている。例えば、特許文献１に記載された技術は、弦楽器そのものから音楽が奏でられる特別な演出効果を可能とするために、弦楽器の裏板に取り付けた加振器を制御することにより、実際の弦楽器をスピーカー代わりに利用することが記載されている。
【先行技術文献】
【特許文献】
【０００３】
【特許文献１】特開２００４−１２９０５８号公報
【発明の概要】
【発明が解決しようとする課題】
【０００４】
特許文献１に記載された技術は、実際の弦楽器をスピーカーとして利用することにより、公共の場でコンサートのような臨場感を出すことを目的としている、つまり、基本的に、弦楽器を演奏設備として使用することを前提にしているため、聴衆が弦楽器を実際に手に取って扱うような場面を想定していない。
【０００５】
しかしながら、実際には、公共の場だけでなく、店頭や自宅においても楽器用の支持体に弦楽器を設置し、その状態で弦楽器をスピーカーとして使用するという需要があると考えられる。その場合、店頭においては購買者が実際に手に取ってみるであろうし、自宅の部屋においては、ユーザが手に取って演奏するであろうことが予想される。
【０００６】
このとき、特許文献１に記載された技術のように、弦楽器そのものに加振器を固定して取り付けてしまうと、店頭において購買者が手に取ったときに邪魔であるし、そもそも商品として成り立たないという問題がある。また、自宅においてユーザが手に取ったときに邪魔であるし、外への持ち運び時にわざわざ加振器を取り外さなければならないという問題がある。
【０００７】
本発明の課題の一つは、楽器を設置した際に、その楽器の響板に対し適切な圧力で加振器を接触させることが可能な楽器用支持体を提供することにある。
【０００８】
本発明の課題の一つは、設置した楽器の種類に依らず、その楽器の響板に対し適切な圧力で加振器を接触させることが可能な楽器用支持体を提供することにある。
【課題を解決するための手段】
【０００９】
本発明の一実施形態における楽器用支持体は、響板を有する楽器を支持する支持体と、駆動信号に応じて振動する加振器と、前記支持体に前記楽器が支持されたとき、前記響板に前記加振器を予め決められた圧力で接触させる加圧機構と、を備える。
【００１０】
本発明の一実施形態によれば、前記加圧機構は、連結部材と、前記連結部材を回動可能に保持する支軸と、錘と、を含み、前記連結部材の一端に前記加振器が連結され、前記連結部材の他端に前記錘が連結されていてもよい。この場合、前記支持体に前記楽器が支持されたときの前記錘の重力方向における位置が、前記支持体に前記楽器が支持されていないときの前記錘の重力方向における位置よりも高くなる。なお、前記支持体に前記楽器が支持されていないときは、前記錘が前記重力方向に支持されていてもよい。
【００１１】
前記連結部材は、屈曲部を有し、前記支軸は、前記屈曲部において前記連結部材を回動可能に保持するものであってもよい。
【００１２】
また、本発明の一実施形態によれば、前記加圧機構は、バネを含み、前記バネの一端に前記加振器が連結され、前記バネの他端が固定されていてもよい。
【００１３】
また、本発明の一実施形態によれば、前記加圧機構は、屈曲部を有する棒状の連結部材と、ぜんまいバネと、を含み、前記連結部材の一端に前記加振器が連結され、前記連結部材の他端に前記ぜんまいバネの一端が連結されていてもよい。
【発明の効果】
【００１４】
本発明の一実施形態によれば、楽器を設置した際に、その楽器の響板に対し適切な圧力で加振器を接触させることができる。
【００１５】
本発明の一実施形態によれば、設置した楽器の種類に依らず、その楽器の響板に対し適切な圧力で加振器を接触させることができる。
【図面の簡単な説明】
【００１６】
【図１】本発明の第１実施形態における楽器用支持体の構成を示す図である。
【図２】本発明の第１実施形態における楽器用支持体の楽器を設置した前後の状態を示す図である。
【図３】本発明の第１実施形態における加振器に駆動信号を送るための制御装置の構成を示す図である。
【図４】本発明の第２実施形態における楽器用支持体の楽器を設置した前後の状態を示す図である。
【図５】本発明の第３実施形態における楽器用支持体の楽器を設置した前後の状態を示す図である。
【図６】本発明の第４実施形態における楽器用支持体の構成を示す図である。
【図７】本発明の第４実施形態における楽器用支持体の楽器を設置した前後の状態を示す図である。
【図８】本発明の第５実施形態における楽器用支持体の構成を示す図である。
【図９】本発明の第６実施形態における楽器用支持体の構成を示す図である。
【図１０】本発明の第６実施形態における楽器用支持体の楽器を設置した前後の状態を示す図である。
【発明を実施するための形態】
【００１７】
以下、本発明の一実施形態における楽器用支持体について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００１８】
＜第１実施形態＞
［楽器用支持体の構成］
図１は、本発明の第１実施形態における楽器用支持体の構成を示す全体図である。図１（Ａ）は、楽器用支持体を正面から見た図を示し、図１（Ｂ）は、楽器用支持体を側面から見た図を示している。
【００１９】
図１（Ａ）及び図１（Ｂ）において、支持体１０は、楽器１１を支持する支持部１２と、加振器１３と、加振器に連結された加圧機構１４とを備える。なお、楽器１１そのものは、楽器用支持体１０を構成するものではないため、図面では一点鎖線で示してある。
【００２０】
楽器１１は、響板または共鳴胴を有する楽器であればよく、一例としては、ギター、ウクレレ、バイオリン、チェロ、マンドリンその他の弦楽器が挙げられる。また、共鳴胴を有する楽器の一例として、弦楽器に限らず、太鼓、カホンなどの打楽器も挙げられる。つまり、本実施形態の楽器用支持体１０は、共鳴作用を用いて発音する楽器全般に適用可能である。本実施形態では、ウクレレ等の一般的な弦楽器を例示する。
【００２１】
支持部１２は、楽器１１を支持するための構造体であり、材質としては、木材、金属材、プラスチック材など様々な材料を用いて形成することが可能である。支持部１２は、楽器を支持可能な構成であれば特に形状は限定されない。例えば、図１に示したように楽器１１の底部及び背面部を支えるタイプの形状だけでなく、楽器１１の背面部とネック部を支えるタイプなどであってもよい。
【００２２】
支持部１２は、その一部に突出部１２ａ及び１２ｂを有する。突出部１２ａ及び１２ｂは、楽器１１の背面（裏板）を支持する部位である。突出部１２ａ及び１２ｂは、直接楽器１１に触れる部分であるため、先端を弾性部材としたりフェルトのような柔らかい布地としたりすることが好ましい。また、突出部１２ａ及び１２ｂの高さは、支持部１２と楽器１１との間の距離を決定するため、加振器１３の高さを考慮して決めればよい。その点については後述する。
【００２３】
加振器１３は、外部から入力された駆動信号に応じて振動する装置であり、電気信号を機械的な振動に変換する変換器として機能する。加振器１３としては、一般的に市販されている公知の加振器を用いることができる。本実施形態においては、加振器１３の振動部を楽器１１の響板（本実施形態では、弦楽器の裏板）に接触させ、加振器１３で発生した振動を響板１５に伝達することにより楽器１１から音を発生させることができる。
【００２４】
具体的には、本実施形態では、加振器１３に対して、駆動信号としてオーディオ信号を入力し、加振器１３の振動部をオーディオ信号に応じたリズムで振動させる。その結果、楽器１１の共鳴胴がオーディオ信号に応じて共鳴し、楽器１１本来の豊かな音を聴くことが可能となる。その意味でも、オーディオ信号としては、楽器１１で演奏した音楽に基づくオーディオ信号を用いることが望ましい。本実施形態において、加振器１３を駆動するための電力及びオーディオ信号は、外部の制御装置から入力される。
【００２５】
図３は、本発明の第１実施形態における加振器に駆動信号を送るための制御装置の構成を示す図である。本実施形態では、制御装置２０と楽器用支持体１０とで機能を分担する例を示しているが、図３に示す構成は一例に過ぎず、制御装置２０に各機能を設けて楽器用支持体１０は信号を受信する構成のみとしてもよいし、逆に制御装置２０の各機能をすべて楽器用支持体１０に持たせてもよい。さらには、図３に例示する構成以外の構成で、各機能を制御装置２０と楽器用支持体１０とで分散処理を行ってもよい。
【００２６】
図３に示す構成において、制御装置２０は、電力供給部２１、演算部２２、記憶部２３、操作部２４、通信部２６及び信号処理部２５を備えている。また、楽器用支持体１０は、通信部２７、アンプ２８及びイコライザ２９を備えている。
【００２７】
電力供給部２１は、交流電源またはバッテリーを電源として、各機能回路に電力を供給する回路である。本実施形態では、楽器用支持体１０において加振器１３を駆動するための電力も電力供給部２１から供給する。なお、楽器１１として、エレクトリックギターなどの電気弦楽器を支持する場合には、電気弦楽器の電源を電力供給源として利用し、電力供給部２１を省略することも可能である。
【００２８】
演算部２２は、いわゆるＣＰＵ（中央演算処理装置）であり、記憶部２３から読み取った命令に従って各種動作を実行する。記憶部２３は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）で構成され、各種データ及び各種プログラムを記憶する。
【００２９】
操作部２４は、ユーザが処理命令を指示する際に用いるインターフェースを構成するものである。楽曲の選択、後述するアンプ２８やイコライザ２９の調整などを実行するための制御データを演算部２２に送信することができる。
【００３０】
信号処理部２５は、楽音信号の各種処理を行うための回路である。例えば、Ｄ／Ａ変換（デジタル−アナログ変換）を行ったり、ノイズキャンセル処理を行ったりすることが可能である。必要に応じて、信号処理回路２５は省略することも可能である。
【００３１】
通信部２６は、制御装置２０で生成された各種信号を楽器用支持体１０に送信する機能、及び楽器用支持体１０から送信される信号を受信する機能を有する。また、本実施形態においては、電力供給部２１から出力された電力を楽器用支持体１０に対して送電する送電回路としても機能する。
【００３２】
通信部２６は、無線通信であっても有線通信であってもよい。無線通信であれば、ブルートゥース（登録商標）などの近距離無線通信や無線ＬＡＮなどを用いてもよい。また、通信部２６は、オーディオ信号を格納するデータベースを有するサーバなどの外部サーバとの通信手段として機能してもよい。
【００３３】
通信部２７は、通信部２６と各種信号の送受信を行い、オーディオ信号、制御信号または電力信号を受信したり、楽器用支持体１０内で発生したエラー信号などを制御装置２０へ送信したりする機能を有する。
【００３４】
アンプ２８は、通信部２７で受け取ったオーディオ信号の信号増幅を行う回路である。アンプ２８は、Ｄ／Ａ変換回路を含んでもよい。アンプ２８に入力されたオーディオ信号は、振幅制御により増幅されて出力される。
【００３５】
イコライザ２９は、入力されたオーディオ信号の周波数特性を変更する機能を有する回路である。イコライザ２９では、オーディオ信号の特定の周波数帯域を強調したり、減少させたりすることにより、所望の音質制御が可能である。
【００３６】
図１に戻って、本実施形態において、加圧機構１４は、錘１５、加振器１３と錘１５とを連結する連結部材１６、及び連結部材１６を回動可能に保持する支軸１７を含む。錘１５は、一般的な錘を用いることができる。錘１５と連結部材１６とは回動可能に連結されることが好ましいが、連結部材１６の先端部に固定してもよい。
【００３７】
連結部材１６は、加振器１３と錘１５とを連結する剛性部材であり、木材、プラスチック材または金属材で構成される。本実施形態における連結部材１６は、加振器１３と錘１５との間に屈曲部を有する。本実施形態では、図１（Ｂ）に示すように、連結部材１６の屈曲部が支軸１７に位置し、屈曲部１７を軸として、連結部材１６が回動可能に保持された構成となっている。なお、本実施形態では、単一の連結部材を屈曲させて用いた例を示しているが、支軸１７を中心として２つの連結部材を所定の角度で連結し、図１（Ｂ）に示すような構造とすることも可能である。
【００３８】
本実施形態において、支軸１７は、図１（Ａ）に示すように支持部１２の側面に渡して設けられている。しかし、この構造に限るものではなく、連結部材１６を回動可能に保持することさえ可能であれば、支軸１７の配置方法は任意である。
【００３９】
なお、本実施形態において、楽器用支持体１０への駆動信号の入力は、接続部１８を介して行われる。接続部１８は、ＵＳＢケーブル等を繋ぐ接続端子であってもよいし、近距離無線通信を行うための接続素子であってもよい。
【００４０】
［楽器用支持体の動作］
図２は、本発明の第１実施形態における楽器用支持体の楽器を設置した前後の状態を示す図である。ここで、図２（Ａ）は、楽器用支持体１０に対して楽器１１を設置する前の状態を示し、図２（Ｂ）は、楽器用支持体１０に対して楽器１１を設置した後の状態を示している。なお、図２（Ａ）は、楽器１１を置く前の状態であるが、楽器１１と加振器１３の位置関係を分りやすくするため、楽器１１を一点鎖線で示している。
【００４１】
図２（Ａ）に示す状態では、加振器１３に対して外力が加わらないため、錘１５は支軸１７の直下に位置する。そのため、錘１５と支軸１７との間の連結部材１６は、鉛直方向（重力方向）に延び、加振器１３と支軸１７との間の連結部材１６は、鉛直方向に対して所定の角度（つまり、屈曲部の角度に相当する）の方向（図２（Ａ）では略水平方向）に延びた状態となる。ただし、ここで説明した角度は一例であり、この角度は加振器１３と連結部材１６の取り付け角度等に応じて任意に設定することが可能である。
【００４２】
なお、図２（Ａ）においては、錘１５が連結部材１６によって吊り下げられた状態を例示しているが、この状態において錘１５の底部が支持部１２の一部に接するようにしてもよい。例えば、錘１５の底部が支持部１２の底面に接する態様や、支持部１２の側面に支持された板状部材に接する態様が挙げられる。図２（Ａ）の状態にあるときに、支持部１２が揺れたりしても錘１５が動かない状態にしておくことにより、不意な振動（例えば、使用者が支持部１２に躓くなどによる振動）が発生しても、加振器１３が大きく揺れて破損することを防ぐことができる。
【００４３】
本実施形態においては、図２（Ａ）に示すように、楽器１１が支持されていないときに、加振器１３の一部が突出部１２ａ及び１２ｂの先端を結んだ面（すなわち、楽器１１の響板に対応する面）１９ａを超えるように調整している。このような調整は、例えば加振器１３と連結部材１６との取り付け角度や、加振器１３と支軸１７との間の連結部材１６の長さを調整することにより行えばよい。
【００４４】
次に、図２（Ａ）の状態の楽器用支持体１０に対して楽器１１を設置すると、図２（Ｂ）に示すように、楽器１１の響板（本実施形態では、弦楽器の裏板）１９ｂに押されて加振器１３が支持部１２に向かって引っ込み、その動きに連動して錘１５が持ち上がる。つまり、連結部材１６が支軸１７を中心に回動することにより、梃子の原理が働き、結果として錘１５が持ち上がることとなる。
【００４５】
このように、楽器用支持体１０に楽器１１が支持されたとき（図２（Ｂ））の錘１５の重力方向における位置が、支持されていないとき（図２（Ｂ））に比べて高くなる。そのため、図２（Ｂ）の状態においては、錘１５に作用する重力方向の力により、常に連結部材１６を回動させる方向の力、すなわち、常に加振器１３を楽器１１に対して押し付ける方向の力が働く。このとき、加振器１３が楽器１１の響板１９ｂを押す力は、錘１５の重さで決まるため、常に予め決められた圧力とすることができる。
【００４６】
以上のように、第１実施形態によれば、楽器用支持体に楽器が支持されると、梃子の原理により、予め決められた圧力（錘の重さで決まる力）で加振器を楽器の響板に接触させることができる。これにより、錘の重さを適切に設定すれば、設置する楽器の種類、重さまたは形状によらず、適切な圧力で加振器を響板に接触させることができる。
【００４７】
＜第２実施形態＞
本発明の第２実施形態における楽器用支持体３０は、加圧機構３１の構成が第１実施形態とは異なる。具体的には、第１実施形態における加圧機構１４では、加振器１３と錘１５とを連結部材１６によって連結したのに対し、第２実施形態における加圧機構３１では、連結部材１６と錘１５との間に糸またはワイヤを用いる点で異なる。
【００４８】
図４は、本発明の第２実施形態における楽器用支持体の楽器を設置した前後の状態を示す図である。なお、第１実施形態と共通する部分については、同一の符号を用いて説明することとする。
【００４９】
図４（Ａ）は、楽器用支持体３０に対して楽器１１を設置する前の状態を示し、図４（Ｂ）は、楽器用支持体３０に対して楽器１１を設置した後の状態を示している。なお、図４（Ａ）は、楽器１１を置く前の状態であるが、楽器１１と加振器１３の位置関係を分りやすくするため、楽器１１を一点鎖線で示している。
【００５０】
第２実施形態における楽器用支持体３０は、加圧機構３１に、連結部材３２、支軸１７、糸３３、ストッパー部材３４及び錘１５を含む。連結部材３２は、図１に示した連結部材１６と基本的には同じであるが、屈曲部を持たず、棒状の形状になっている。糸３３としては、通常の撚糸を用いてもよいし、モノフィラメントで構成される糸（いわゆるナイロンライン）であってもよい。勿論、ピアノ線、真鍮線などのワイヤを用いてもよい。ストッパー部材３４は、楽器１１が支持されていないときに、連結部材３２が鉛直方向を向かないように止めるための部材である。ストッパー部材３４は、支軸１７と同様に、図１（Ａ）に示すように支持部１２の側面に渡して設けておけばよい。勿論、支軸１７と同様に、配置方法は任意である。
【００５１】
図４（Ａ）に示す状態では、加振器１３に対して外力が加わらないため、錘１５は重力方向に力を受ける。そのため、連結部材３２は錘１５からの力を受けて下方に引っ張られるが、ストッパー部材３４で止まる。そのため、錘１５は、連結部材３２から糸３３を介して吊り下げられた状態となる。
【００５２】
なお、図４（Ａ）においては、錘１５が連結部材３２によって吊り下げられた状態を例示しているが、第１実施形態と同様に、この状態において錘１５の底部が支持部１２の一部に接するようにしてもよい。その場合、支持部１２の一部がストッパーとしての役割を果たすため、ストッパー部材３４を省略することが可能である。例えば、糸３３の長さを調節することにより簡単に調整することができる。
【００５３】
本実施形態においても、図４（Ａ）に示すように、楽器１１が支持されていないときには、加振器１３の一部が突出部１２ａ及び１２ｂの先端を結んだ面１８ａを超えるように調整されている。このような調整は、例えば加振器１３と連結部材３２との取り付け角度や、連結部材３２の長さ、支軸１７、ストッパー部材３４の位置などを調整することにより行えばよい。
【００５４】
そして、図４（Ａ）の状態の楽器用支持体３０に対して楽器１１を設置すると、図４（Ｂ）に示すように、楽器１１の響板（本実施形態では、弦楽器の裏板）に押されて加振器１３が支持部１２に向かって引っ込み、その動きに連動して錘１５が持ち上がる。つまり、本実施形態においても連結部材３２が支軸１７を中心に回動することにより、錘１５が持ち上がることとなる。
【００５５】
このような動作は、第１実施形態と同様に梃子の原理を応用したものであり、ここでの詳細な説明は省略する。なお、本実施形態では、連結部材３２と錘１５との間に糸３３を介在させているが、糸３３を省略し、連結部材３２の一端に直接錘１５を配置する構成としてもよい。
【００５６】
以上のように、第２実施形態によれば、楽器用支持体に楽器が支持されると、梃子の原理により、予め決められた圧力（錘の重さで決まる力）で加振器を楽器の響板に接触させることができる。これにより、錘の重さを適切に設定すれば、設置する楽器の種類、重さまたは形状によらず、適切な圧力で加振器を響板に接触させることができる。
【００５７】
また、本実施形態の構造とした場合、連結部材に対する支軸の位置を調整することにより、加振器に伝達する力を変更することが可能である。例えば、連結部材の中央に支軸を配置すれば、錘に掛かる重力方向の力がそのまま加振器に伝達されるが、加振器から支軸までの距離と支軸から糸（つまり、連結部材の端部）までの距離を１：２に設定すれば、同じ圧力を加振器に与えるために半分の重さの錘で済むという利点がある。
【００５８】
＜第３実施形態＞
本発明の第３実施形態における楽器用支持体４０は、加圧機構４１の構成が第１実施形態とは異なる。具体的には、第１実施形態における加圧機構１４では、加振器１３と錘１５とを連結部材１６によって連結したのに対し、第３実施形態における加圧機構４１では、加振器１３に対して力を加える媒体としてバネを用いる点で異なる。
【００５９】
図５は、本発明の第３実施形態における楽器用支持体の楽器を設置した前後の状態を示す図である。なお、第１実施形態と共通する部分については、同一の符号を用いて説明することとする。
【００６０】
図５（Ａ）は、楽器用支持体４０に対して楽器１１を設置する前の状態を示し、図５（Ｂ）は、楽器用支持体４０に対して楽器１１を設置した後の状態を示している。なお、図５（Ａ）は、楽器１１を置く前の状態であるが、楽器１１と加振器１３の位置関係を分りやすくするため、楽器１１を一点鎖線で示している。
【００６１】
第３実施形態における楽器用支持体４０は、加圧機構４１に、巻きバネ４２、ガイドレール４３、接続部材４４及びストッパー部材４５を含む。
【００６２】
巻きバネ４１は、市販の「ねじりコイルバネ」と呼ばれるものであり、ここでは加振器１３に対して圧力を加える「バネ」の一例として示している。本実施形態では、様々なバネを用いることが可能であり、巻きバネ以外にも、圧縮バネ、トーションバー・バネ、定荷重バネなどを用いることができる。
【００６３】
ただし、バネ定数が大きすぎると楽器１１を浮かせてしまう（響板１９ｂが突出部１２ａ及び１２ｂから離れてしまう）おそれがあるため、少なくとも楽器１１の重さによって生じる圧力（響板１９ｂから加振器１３に加わる力）を超えない範囲で加振器１３を押せるようにバネ定数を選択することが好ましい。
【００６４】
また、定荷重バネやバネ定数の小さなバネのように、押し込み量に依らず一定の力（ほぼ一定とみなせる力を含む）を生じるバネを用いた場合、バネの力で楽器全体の重さを支える構造とすることも可能である。押し込み量に依らず一定の力を生じるバネは、楽器の種類が変わって重さが変わったとしても一定の力を楽器１１に及ぼすことができる。その結果、楽器の種類に依らず、加振器１３を一定の力で響板１９ｂに接触させることが可能である。
【００６５】
なお、巻きバネ４２は、任意の方法で支持部１２内に固定すればよい。例えば、図１（Ａ）に示す支軸１７のように支持部１２の両側面に棒状部材を渡し、加振器１３に対応する位置に巻きバネ４２のコイル部分を固定すればよい。ただし、これは一例に過ぎず、巻きバネ４２の取り付け方法はこれに限定されない。
【００６６】
ガイドレール４３は、加振器１３の移動方向を規制する部材であり、加振器１３の周囲を取り囲むように設けられる。例えば、加振器１３の周囲に円形状に設けられていてもよいし、デルタ配置された３点以上の棒状部材が設けられていてもよい。いずれにしても加振器１３が楽器１１の響板１９ｂに向かって垂直な方向に移動するように規制可能であれば、ガイドレール４３の位置や形状は問わない。ただし、ガイドレール４３の高さは、突出部１２ａ及び１２ｂの高さを超えない範囲とすることが望ましい。
【００６７】
接続部材４４は、加振器１３に対して巻きバネ４２の力を伝達するための部材であり、プラスチック材や金属材で構成される。加振器１３と接続部材４４とを一体化して構成することも可能である。
【００６８】
ストッパー部材４５は、楽器１１が支持されていないときに、巻きバネ４２が必要以上に加振器１３を押しすぎないようにバネ材を止めるための部材である。ストッパー部材４５は、支軸１７と同様に、図１（Ａ）に示すように支持部１２の側面に渡して設けておけばよい。勿論、支軸１７と同様に、配置方法は任意である。
【００６９】
本実施形態においても、図５（Ａ）に示すように、楽器１１が支持されていないときには、加振器１３の一部が突出部１２ａ及び１２ｂの先端を結んだ面１９ａを超えるように調整されている。このような調整は、ストッパー部材４５を設ける位置によって調整すればよい。
【００７０】
そして、図５（Ａ）の状態の楽器用支持体４０に対して楽器１１を設置すると、図５（Ｂ）に示すように、楽器１１の響板（本実施形態では、弦楽器の裏板）に押されて加振器１３が支持部１２に向かって引っ込み、その動きに連動して巻きバネ４２のバネ材が押し込まれる結果、加振器１３に対して巻きバネ４２による反発力が加わる。
【００７１】
このとき、加振器１３の押し込み量（すなわち、巻きバネ４２の押し込み量）は、図５（Ａ）に示した状態における加振器１３の面１９ａからの飛び出し量で決まるため、楽器の種類によらず一定である。したがって、図５（Ｂ）の状態において、加振器１３が巻きバネ４２から受ける力は、楽器の種類によらず一定であり、結果として、加振器１３を一定の力で響板１９ｂに接触させることが可能となる。
【００７２】
以上のように、第３実施形態によれば、楽器用支持体に楽器が支持されると、予め決められた圧力（バネのバネ定数と楽器が支持されたときの加振器の押し込み量とで決まる力）で加振器を楽器の響板に接触させることができる。これにより、バネのバネ定数を適切に設定すれば、設置する楽器の種類、重さまたは形状によらず、適切な圧力で加振器を響板に接触させることができる。
【００７３】
また、第３実施形態の構造とした場合、簡易な方法で加振器に対して力を加えることができるため、加圧機構の設置に必要なスペースを少なくすることができ、小型でコンパクトな楽器用支持体を実現することができるという利点がある。
【００７４】
＜第４実施形態＞
［楽器用支持体の構成］
本発明の第４実施形態における楽器用支持体５０は、加圧機構５１の構成が、第１実施形態から第３実施形態とは大きく異なる。具体的には、第１実施形態から第３実施形態における加圧機構では、加振器に対して楽器の裏板側から加振器を接触させていたのに対し、第４実施形態における加圧機構５１では、加振器に対して楽器の表板側から加振器を接触させている点で異なる。
【００７５】
図６は、本発明の第４実施形態における楽器用支持体の構成を示す全体図である。図６（Ａ）は、楽器用支持体を正面から見た図を示し、図６（Ｂ）は、楽器用支持体を側面から見た図を示している。なお、第１実施形態と共通する部分については、同一の符号を用いて説明することとする。
【００７６】
第４実施形態における楽器用支持体５０は、加圧機構５１として、定荷重バネ（ぜんまいバネ）５２、スライドテーブル５３及び連結部材５４を含む。なお、楽器１１そのものは、楽器用支持体５０を構成するものではないため、図面では一点鎖線で示してある。
【００７７】
定荷重バネ５２は、市販のものを用いることができ、ここでは加振器１３に対して圧力を加える「バネ」の一例として示している。本実施形態では、定荷重バネ以外にも、巻きバネ、バネ定数の小さなバネなど、引き出し量または押し込み量（以下、両者をまとめて「ストローク量」という）によらず、一定の力を作用させるバネを用いることが可能である。なお、ここでいう「一定」とは、常に同じ力を示す場合だけでなく、ストローク量に対して力の変化量が無視できる程度まで小さい場合も含む。
【００７８】
スライドテーブル５３は、支持部１２の前方に向かって引き出したり押し込んだりすることが可能なテーブルである。図示していないが、レール等を用いて公知の方法で支持部１２に取り付ければよい。
【００７９】
連結部材５４は、スライドテーブル５３と加振器１３とを連結するための部材である。図６（Ｂ）では屈曲部を有する連結部材５４を例示しているが、これに限らず、スライドテーブル５３の移動に連動して加振器１３が移動する態様であれば、どのような形状としてもよい。なお、加振器１３は、楽器１１の響板部分に接触するように配置されている。本実施形態の支持部１２は、様々な種類の楽器１１を支持することが想定されるため、連結部材５４を伸縮可能な構造として、加振器１３の位置を移動可能としてもよい。
【００８０】
本実施形態では、定荷重バネ５２のバネ材の先端部が、スライドテーブル５３と連結部材５４とが連結される位置付近に固定されている。また、定荷重バネ５２は、任意の方法により支持部１２に対して固定されており、定荷重バネ５２の位置は、スライドテーブル５３の移動によらず一定である。そのため、スライドテーブル５３が引き出されると、その移動に連動して定荷重バネ５２からバネ材が引き出され、加振器１３が、バネ材が戻る方向（すなわち、定荷重バネ５２がスライドテーブル５３を支持部１２内に押し戻す方向）に一定の力を受ける構造となっている。
【００８１】
［楽器用支持体の動作］
図７は、本発明の第４実施形態における楽器用支持体の楽器を設置した前後の状態を示す図である。なお、第１実施形態と共通する部分については、同一の符号を用いて説明することとする。
【００８２】
本実施形態では、図７（Ａ）に示すように、まず楽器１１を支持する前にスライドテーブル５３を引き出し、加振器１３を支持部１２から十分な距離まで離す。この動作は、使用者が手動で行ってもよいし、モーター等を用いた機構を別途設けて自動で行うようにしてもよい。このとき、スライドテーブル５３、連結部材５４及び加振器１３には、定荷重バネ５２により支持部１２に向かう方向に力が加わっている。
【００８３】
この状態で支持部１２に対して楽器１１を設置し、再びスライドテーブル５３を支持部１２に向かって戻すと図７（Ｂ）の状態となる。手動であれば、使用者が手を離せば定荷重バネ５２の作用によりスライドテーブル５３が支持部１２内へ戻り、加振器１３が楽器１１の響板（表板）１９ｃに接触するところで止まる。自動であれば、定荷重バネ５２の引き戻す力に逆らって働く駆動力（スライドテーブル５３を引き出す方向に働く力）を停止させれば、定荷重バネ５２の作用によりスライドテーブル５３が支持部１２内へ戻り、加振器１３が楽器１１の響板（表板）１９ｃに接触するところで止まる。
【００８４】
このとき、加振器１３が響板１９ｃを押す力は、定荷重バネ５２の特性で決まるため、楽器の種類によらず一定である。したがって、図７（Ｂ）の状態において、加振器１３が定荷重バネ５２から受ける力は、楽器の種類によらず一定であり、結果として、加振器１３を一定の力で響板１９ｃに接触させることが可能となる。
【００８５】
以上のように、第４実施形態によれば、楽器用支持体に楽器が支持されると、予め決められた圧力（定荷重バネのバネ定数で決まる力）で加振器を楽器の響板に接触させることができる。これにより、バネ定数を適切に設定すれば、設置する楽器の種類、重さまたは形状によらず、適切な圧力で加振器を響板に接触させることができる。
【００８６】
また、第４実施形態の構造とした場合、支持部１２の下方に加圧機構の収納スペースを確保することができるため、支持部１２の薄型化が可能となり、小型でコンパクトな楽器用支持体を実現することができるという利点がある。
【００８７】
＜第５実施形態＞
本発明の第５実施形態における楽器用支持体６０は、加圧機構６１の構成が、第１実施形態から第４実施形態とは大きく異なる。具体的には、第１実施形態から第４実施形態における加圧機構では、響板に対して加振器を押し付ける方向に力を加えていたのに対し、第５実施形態における加圧機構６１では、加振器に対して響板を押し付ける方向に力を加える点で異なる。
【００８８】
図８は、本発明の第５実施形態における楽器用支持体の構成を示す図である。なお、第１実施形態と共通する部分については、同一の符号を用いて説明することとする。
【００８９】
図８は、本発明の第５実施形態における楽器用支持体の構成を示す全体図である。図８（Ａ）は、楽器用支持体を正面から見た図を示し、図８（Ｂ）は、楽器用支持体を側面から見た図を示している
【００９０】
第５実施形態における楽器用支持体６０は、加圧機構６１として、圧縮バネ６２及び取り付け部材６３含む。なお、楽器１１そのものは、楽器用支持体６０を構成するものではないため、図面では一点鎖線で示してある。
【００９１】
圧縮バネ６２は、市販の圧縮バネを用いることができ、取り付け部材６３により支持部１２に対して連結されている。本実施形態において、圧縮バネ６２は、楽器１１に対し、楽器１１を支持部１２に引き寄せる力を加える役割を持つ。そのため、圧縮バネ６２の一端は支持部１２の取り付け部材６３に連結され、他端は、楽器１１に設けられた取り付け部材６４に連結される。取り付け部材６４は、例えばギターなどの弦楽器に設けられるストラップ用の取り付け金具を用いることができる。
【００９２】
本実施形態においては、加振器１３は、支持部１２に対して固定されていてもよいし、支持部１２に対してバネ等の弾性部材を介して支持されていてもよい。いずれにしても、突出部１２ａ及び１２ｂの高さ及び加振器１３の高さ（厚さ）を考慮して、楽器１１の響板（裏板）１９ｂと加振器１３とが適切に接触する位置に設定する。例えば、加振器１３の振動部材（響板に接して振動させる部材）が加振器１３に若干押し込まれたときに、ボイスコイルの中点が磁束と一致するように設定することが好ましい。このような設定とすることにより、楽器１１が支持されたときに、最も効率よく加振器１３を駆動できる状態を得ることができる。
【００９３】
なお、本実施形態では、加圧機構６１に圧縮バネ６２を用いる例を示したが、バネに限らず、糸、ワイヤ、棒状部材などの部材を用いることもできる。要するに、楽器１１と支持部１２との距離を一定に維持できればよいからである。したがって、例えばギターなどの弦楽器に使用される肩掛け用のストラップを用いて楽器１１と支持部１２との距離を一定に維持してもよい。
【００９４】
以上のように、第５実施形態によれば、支持部に設けられた突出部を結ぶ面から僅かに出る形で配置された加振器に対して楽器を接触させ、その状態を、加圧機構を用いて維持することにより、楽器の響板と加振器とを予め決められた圧力で接触させることが可能となる。これにより、設置する楽器の種類、重さまたは形状によらず、適切な圧力で加振器を響板に接触させることができる。
【００９５】
また、第５実施形態の構造とした場合、簡易な方法で加振器に対して力を加えることができるため、加圧機構の設置に必要なスペースを少なくすることができ、小型でコンパクトな楽器用支持体を実現することができるという利点がある。
【００９６】
＜第６実施形態＞
本発明の第６実施形態における楽器用支持体７０は、加圧機構７１の構成が、第４実施形態と同様に、楽器１１の響板（表板）１９ｃに加振器１３が接触する構成となっている。しかし、具体的に加圧する機構が実施形態４とは異なる。
【００９７】
図９は、本発明の第６実施形態における楽器用支持体の構成を示す図である。なお、第１実施形態と共通する部分については、同一の符号を用いて説明することとする。
【００９８】
図９は、本発明の第６実施形態における楽器用支持体の構成を示す全体図である。図９（Ａ）は、楽器用支持体を正面から見た図を示し、図９（Ｂ）は、楽器用支持体を側面から見た図を示している。
【００９９】
第６実施形態における楽器用支持体７０は、加圧機構７１として、圧縮バネ７２、支持台７３、連結部材７４、支持部材７５及び軸７６含む。なお、楽器１１そのものは、楽器用支持体７０を構成するものではないため、図面では一点鎖線で示してある。
【０１００】
圧縮バネ７２は、市販の圧縮バネを用いることができ、支持部１２と支持台７３の間に配置される。支持部１２との圧縮バネ７２との間、または、支持台７３と圧縮バネ７２との間は両方連結されていてもよいし、いずれか一方が連結されていてもよい。なお、圧縮バネに限らず、他のバネであってもよいし、ゴム等の弾性体であってもよい。
【０１０１】
支持台７３は、軸７６を回転中心として支持部材７５に対して回動可能に連結されている。また、支持台７３には連結部材７４の一端が連結され、連結部材７４の他端には加振器１３が連結されている。これら支持台７３、連結部材７４、支持部材７５及び軸７６を構成する材料としては、木材、プラスチック材または金属材のいずれを用いてもよい。
【０１０２】
なお、加振器１３は、楽器１１の響板部分に接触するように配置されている。本実施形態の支持部１２は、様々な種類の楽器１１を支持することが想定されるため、連結部材７４を伸縮可能な構造として加振器１３の位置を移動可能としてもよい。
【０１０３】
［楽器用支持体の動作］
図１０は、本発明の第６実施形態における楽器用支持体の楽器を設置した前後の状態を示す図である。なお、第１実施形態と共通する部分については、同一の符号を用いて説明することとする。
【０１０４】
図１０（Ａ）に示すように、支持台７３に対して楽器１１を載せていない状態においては、圧縮バネ７２は、ほぼ圧縮のない定常状態となっている（厳密には、支持台７３の荷重を支えている。）。このとき、支持台７３は、楽器用支持体７０の設置面に対してほぼ水平となっており、連結部材７４は、設置面に対してほぼ垂直となっている。したがって、加振器１３は、支持部１２から十分な距離を置いて離間した位置に配置される。
【０１０５】
次に、図１０（Ｂ）に示すように、楽器１１を支持台７３に載せると、その重みで圧縮バネ７２が圧縮され、さらに軸７６を回転中心として支持台７３が回動する。その結果、支持台７３の回動に連動して、連結部材７４及び加振器１３の位置が変化し、加振器１３が楽器１１の響板１９ｃに接触する。
【０１０６】
圧縮バネ７２は、楽器１１の重さの分だけ圧縮されるため、楽器１１の重さに応じた大きさで垂直上方向への反発力を生じる。したがって、ある程度沈み込んだところで楽器１１の重さによる重力方向の力と圧縮バネ７２の反発力とが釣り合い、楽器１１が圧縮バネ７２に支えられた状態となる。そして、楽器１１の位置に応じた適切な圧力で加振器１３が楽器１１の響板１９ｃに接触することとなる。
【０１０７】
換言すれば、楽器１１が重くなるほど圧縮バネ７２の反発力は大きくなるということは、楽器１１が重くなるほど加振器１３が響板１９ｃを押す力を和らげる方向（支持台７３を持ち上げる方向）の力が大きく働くことを意味する。したがって、圧縮バネ７３のバネ定数を適切に設定しておけば、楽器１１の重さと加振器１３が響板１９ｃを押す力とを適切なバランスに設定することが可能となる。
【０１０８】
以上のように、第６実施形態によれば、楽器用支持体に楽器が支持されると、楽器の重さに応じた圧力で加振器を楽器の響板に接触させることができる。これにより、バネ定数を適切に設定すれば、設置する楽器の種類、重さによらず、適切な圧力で加振器を響板に接触させることができる。
【符号の説明】
【０１０９】
１０、２０、３０、４０、５０、６０、７０…楽器用支持体、１１…楽器、１２…支持部、１３…加振器、１４…加圧機構、１５…錘、１６…連結部材、１７…支軸、１８…接続部、１９ａ…響板に対応する面、１９ｂ…響板（裏板）、１９ｃ…響板（表板）、２０…制御装置、３１、４１、５１、６１…加圧機構、３２…連結部材、３３…糸、３４…ストッパー部材、４２…巻きバネ、４３…ガイドレール、４４…接続部材、４５…ストッパー部材、５２…定荷重バネ、５３…スライドテーブル、５４…連結部材、６２…圧縮バネ、６３、６４…取り付け部材、７２…圧縮バネ、７３…支持台、７４…連結部材、７５…支持部材、７６…軸
【図１】
2016180928.tif 000003
【図２】
2016180928.tif 000004
【図３】
2016180928.tif 000005
【図４】
2016180928.tif 000006
【図５】
2016180928.tif 000007
【図６】
2016180928.tif 000008
【図７】
2016180928.tif 000009
【図８】
2016180928.tif 000010
【図９】
2016180928.tif 000011
【図１０】
2016180928.tif 000012